(57)【特許請求の範囲】
【請求項１】
テレビジョン信号に対して多重化して伝送される信号により構成される文字放送番組を受信する文字放送受信装置であって、
所定の伝送者からの特定の文字放送番組と、この特定の文字放送番組を放送しているチャンネルとの対応関係を予め記憶させ、この予め記憶された特定の文字放送番組については、ユーザが文字放送番組の受信を指示する前に、前記予め記憶された特定の文字放送番組が放送されているチャンネルを選局し、前記予め記憶された特定の文字放送番組の内容を予め記憶させておくようにした文字放送受信装置において、
異なったチャンネルを順次選局して受信する受信手段と、
前記受信手段により受信した信号に、前記予め記憶された特定の文字放送番組の伝送者を表す文字コードが含まれているか否かを判定する判定手段と、
前記予め記憶された特定の文字放送番組と当該文字放送番組が放送されるチャンネルとの対応関係をリストとして記憶する記憶手段と、
前記受信手段により受信した信号に前記伝送者を表す文字コードが含まれていると判定された場合、受信した文字放送番組の信号が伝送されてくるチャンネルのチャンネル番号を、前記リストに登録する登録手段と
を備えることを特徴とする文字放送受信装置。
【請求項２】
前記記憶手段は、前記特定の文字放送番組のカテゴリ毎の番組番号およびタイトルを含む前記リストを記憶する
ことを特徴とする請求項１に記載の文字放送受信装置。
【請求項３】
前記記憶手段に記憶されている前記リストを読み出し、出力表示させるとき操作される操作手段と、
前記操作手段が操作されたとき、前記記憶手段に記憶されている前記リストを読み出し、出力表示させる表示制御手段と
をさらに備えることを特徴とする請求項１に記載の文字放送受信装置。
【請求項４】
テレビジョン信号に対して多重化して伝送される信号により構成される文字放送番組を受信する文字放送受信装置の文字放送受信方法であって、
所定の伝送者からの特定の文字放送番組と、この特定の文字放送番組を放送しているチャンネルとの対応関係を予め記憶させ、この予め記憶された特定の文字放送番組については、ユーザが文字放送番組の受信を指示する前に、前記予め記憶された特定の文字放送番組が放送されているチャンネルを選局し、前記予め記憶された特定の文字放送番組の内容を予め記憶させておくようにした文字放送受信装置の文字放送受信方法において、
異なったチャンネルを順次選局して受信し、
受信した信号に、前記予め記憶された特定の文字放送番組の伝送者を表す文字コードが含まれているか否かを判定し、
前記予め記憶された特定の文字放送番組と当該文字放送番組が放送されるチャンネルとの対応関係をリストとして記憶し、
受信した信号に前記伝送者を表す文字コードが含まれていると判定された場合、受信した文字放送番組の信号が伝送されてくるチャンネルのチャンネル番号を、前記リストに登録する
ことを特徴とする文字放送受信方法。
【発明の詳細な説明】
【０００１】
【産業上の利用分野】
本発明は、文字放送受信装置および方法に関し、特に文字放送を受信する場合に用いて好適な文字放送受信装置および方法に関する。
【０００２】
【従来の技術】
現在、我国においては、テレビジョン信号に文字図形情報を多重化し、ニュース、天気予報などの文字放送番組が放送されている。
【０００３】
図１５は、従来の文字放送受信装置の構成例を表している。アンテナ１で受信した信号から選局回路２が所定の放送局の信号を選択し、そのうちの音声信号を音声復調増幅回路３に、ビデオ信号を輝度増幅色復調回路４に、それぞれ供給するようになされている。輝度増幅色復調回路４で増幅色復調された信号は、映像切り替え回路５に供給されている。映像切り替え回路５は、輝度増幅色復調回路４より供給された映像信号と、文字放送デコーダ１１の表示処理回路２７より供給された映像信号のいずれかを選択し、映像出力回路６に出力している。映像出力回路６は、映像切り替え回路５より供給された映像信号を増幅し、ＣＲＴ７に出力し、表示させるようになされている。
【０００４】
音声復調増幅回路３より出力された信号は、音声切り替え回路８に供給されている。音声切り替え回路８は、音声復調増幅回路３より供給された音声信号と、文字放送デコーダ１１の付加音デコーダ２６より出力された音声信号のいずれかを選択し、音声出力回路９に出力している。音声出力回路９の出力は、スピーカ１０に供給され、放音されるようになされている。
【０００５】
選局回路２の出力した映像信号は、文字放送デコーダ１１の抜き取り回路２１にも供給されている。抜き取り回路２１は、入力された映像信号中に含まれる文字放送用データを抽出する。マイクロプロセッサ２２は、選局回路２をはじめ、文字放送デコーダ１１の各種の処理を制御する。ＲＯＭ２４には、マイクロプロセッサ２２が各種の処理を実行する上において必要なプログラムが記憶されている。ＲＡＭ２３は、抜き取り回路２１が抽出した文字放送データを記憶する他、マイクロプロセッサ２２のワーキングメモリとして使用される。ＲＡＭ２３は、常にバックアップされており、この装置の電源をオフした後も、記憶情報を保持するようになされている。
【０００６】
文字発生器２５は、抜き取り回路２１により抽出された文字放送データに含まれる文字コードを表示イメージに変換する。付加音デコーダ２６は、文字放送データに含まれる付加音データを音声信号に変換する処理を実行する。表示メモリ２８は、抜き取り回路２１により抽出された文字放送データのうち図形情報を記憶する。表示処理回路２７は、表示メモリ２８に記憶された表示イメージを映像信号に変換して、映像切り替え回路５に出力している。
【０００７】
操作パネルキー４１は、使用者により操作され、その操作に対応する信号をマイクロプロセッサ２２に供給している。リモコン（リモートコントローラ）信号受信回路４２は、リモートコントローラ（リモコン）４３が出力するリモコン信号（赤外線信号）を受信し、その受信結果をマイクロプロセッサ２２に出力するようになされている。
【０００８】
次に、その動作について説明する。操作パネルキー４１を操作して、所定の放送局の選局指令をマイクロプロセッサ２２に入力する（同様の入力は、リモートコントローラ４３を操作して、リモコン信号受信回路４２を介してマイクロプロセッサ２２に供給することもできる）。
【０００９】
マイクロプロセッサ２２は、この指令に対応して選局回路２を制御し、指令に対応する放送局を受信させる。これにより、選局回路２は、アンテナ１を介して指令に対応する放送局の電波を受信し、その音声信号を音声復調増幅回路３に供給し、映像信号を輝度増幅色復調回路４に供給する。音声復調増幅回路３は、入力された音声信号を復調し、さらに増幅した後、音声切り替え回路８に出力する。音声切り替え回路８は、このときマイクロプロセッサ２２に制御され、音声復調増幅回路３の出力を選択するように切り替えられている。これにより、音声復調増幅回路３の出力が音声出力回路９に供給され、そこでさらに増幅された後、スピーカ１０に供給され、放音される。
【００１０】
一方、輝度増幅色復調回路４は、入力された映像信号を増幅するとともに、色復調処理を実行し、その出力信号を映像切り替え回路５に供給する。映像切り替え回路５は、マイクロプロセッサ２２に制御され、このとき、輝度増幅色復調回路４の出力を選択し、映像出力回路６に供給するように切り替えられている。映像出力回路６は、映像切り替え回路５を介して入力された映像信号を増幅し、ＣＲＴ７に出力し、表示させる。
【００１１】
次に、操作パネルキー４１またはリモートコントローラ４３を制御して、所定の放送局の文字放送番組の受信を指令すると、マイクロプロセッサ２２は、選局回路２にその指令された放送局の電波を受信させる。文字放送デコーダ１１の抜き取り回路２１は、選局回路２が出力する映像信号に含まれる文字放送データを抽出し、ＲＡＭ２３に記憶させる。
【００１２】
ＲＡＭ２３に記憶された文字放送データのうち、文字コードは、文字発生器２５に供給され、文字イメージに変換された後、表示メモリ２８に表示イメージの一部として書き込まれる。また、ＲＡＭ２３に記憶された文字放送データのうち、図形情報データは、表示イメージとして表示メモリ２８にそのまま書き込まれる。
【００１３】
表示メモリ２８に書き込まれた表示イメージは、表示処理回路２７により映像信号に変換され、映像切り替え回路５に供給される。映像切り替え回路５は、このとき、マイクロプロセッサ２２に制御され、表示処理回路２７の出力を選択し、映像出力回路６に出力する。映像出力回路６は、入力された信号を増幅し、ＣＲＴ７に供給する。これにより、ＣＲＴ７に文字放送番組が表示される。
【００１４】
一方、ＲＡＭ２３に記憶された文字放送データのうち、付加音データは付加音デコーダ２６に供給され、音声信号に変換される。音声切り替え回路８は、このとき、マイクロプロセッサ２２に制御され、付加音デコーダ２６の出力を選択するように切り替えられている。その結果、付加音デコーダ２６の出力する音声信号が、音声切り替え回路８から音声出力回路９に供給され、そこで増幅された後、スピーカ１０に出力され、放音される。
【００１５】
文字放送番組は、１枚以上のページから構成されている。また、各放送局は、複数の文字放送番組を放送しており、所定の番組の１ページ分のデータを送信したら、次に他の番組の１ページ分のデータを送信するようにしている。その結果、所定の番組の所定のページのデータを送信してから、その番組の次のページのデータを送信するまでの間に所定の間隔があくことになる。この間隔時間は、規格上、最大２０秒とされている。その結果、所定の番組の受信を指令してから、実際にその番組のデータを受信することができるまでには、最悪の場合２０秒の時間がかかることになる。
【００１６】
そこで、予め所定の番組をメモリにプリセットしておき、そのプリセットした番組については、文字放送受信装置の電源をオフした状態であっても、常にこれを受信し、記憶するようにしておくことで、その番組の受信の指令が入力されたとき、その予め記憶されているデータを読み出し、表示することで、受信指令後、直ちにその番組を表示させるようにすることができる。
【００１７】
【発明が解決しようとする課題】
ところで、同一の文字放送番組であっても、それを放送しているチャンネルは地域によって異なる場合がある。このため、文字放送番組と、それを放送しているチャンネルを、文字放送受信装置の製造時において、予めメモリにプリセットしておくことは、その装置がどの地域において使用されるのかが不明であるため、困難である。
【００１８】
そこで、従来の装置においては、例えば、特開平４−７０１７７号公報、特開平６−３０３８６号公報などに開示されているように、使用者が手動操作によって、文字放送番組と、それを放送しているチャンネルをメモリに記憶させる（プリセットする）ようにしている。その結果、そのための操作が煩雑であり、設定に時間がかかる課題があった。
【００１９】
本発明はこのような状況に鑑みてなされたものであり、迅速にプリセット処理を完了することができるようにするものである。
【００２０】
【課題を解決するための手段】
請求項１に記載の文字放送受信装置は、異なったチャンネルを順次選局して受信する受信手段と、受信手段により受信した信号に、予め記憶された特定の文字放送番組の伝送者を表す文字コードが含まれているか否かを判定する判定手段と、予め記憶された特定の文字放送番組と文字放送番組が放送されるチャンネルとの対応関係をリストとして記憶する記憶手段と、受信手段により受信した信号に伝送者を表す文字コードが含まれていると判定された場合、受信した文字放送番組の信号が伝送されてくるチャンネルのチャンネル番号を、リストに登録する登録手段とを備えることを特徴とする。
【００２１】
請求項４に記載の文字放送受信方法は、異なったチャンネルを順次選局して受信し、受信した信号に、予め記憶された特定の文字放送番組の伝送者を表す文字コードが含まれているか否かを判定し、予め記憶された特定の文字放送番組と文字放送番組が放送されるチャンネルとの対応関係をリストとして記憶し、受信した信号に伝送者を表す文字コードが含まれていると判定された場合、受信した文字放送番組の信号が伝送されてくるチャンネルのチャンネル番号を、リストに登録することを特徴とする。
【００２２】
【作用】
請求項１に記載の文字放送受信装置においては、受信手段が、異なったチャンネルを順次選局して受信し、判定手段が、受信手段により受信した信号に、予め記憶された特定の文字放送番組の伝送者を表す文字コードが含まれているか否かを判定し、記憶手段が、予め記憶された特定の文字放送番組と文字放送番組が放送されるチャンネルとの対応関係をリストとして記憶している。登録手段は、受信手段により受信した信号に伝送者を表す文字コードが含まれていると判定された場合、受信した文字放送番組の信号が伝送されてくるチャンネルのチャンネル番号を、リストに登録する。
【００２３】
請求項４に記載の文字放送受信方法においては、異なったチャンネルが順次選局して受信され、受信した信号に、予め記憶された特定の文字放送番組の伝送者を表す文字コードが含まれているか否かが判定され、予め記憶された特定の文字放送番組と文字放送番組が放送されるチャンネルとの対応関係がリストとして記憶され、受信した信号に伝送者を表す文字コードが含まれていると判定された場合、受信した文字放送番組の信号が伝送されてくるチャンネルのチャンネル番号が、リストに登録される。
【００２４】
【実施例】
図１は、本発明の信号受信装置を応用した文字放送受信装置の構成例を表しており、図１５における場合と対応する部分には同一の符号を付してあり、その説明は適宜省略する。
【００２５】
図１に示すように、この実施例においては、マイクロプロセッサ２２が、プログラムにより構成される自動文字チャンネル設定部６１を有している。また、各放送局が放送している文字放送番組を記憶するＥＥＰＲＯＭ２９が設けられている。このＥＥＰＲＯＭ２９には、例えば図２に示すように、所定の放送局（この実施例の場合テレモ）（日本放送協会の文字放送局）において放送している文字放送番組の番組番号とタイトルが、天気予報、ニュース、スポーツ、交通情報、レジャー・ホビー、生活・暮らし、株式情報、教育、番組案内、レース、メモリの１１のカテゴリに区分して、リスト（予約リスト）として記憶されている。そして、このリストには、各カテゴリに３つの文字放送番組が登録されている。
【００２６】
但し、このリストには、チャンネル番号は、この装置の製造時においては記憶されていない。自動文字チャンネル設定部６１が、このリストに記憶させるチャンネル番号を走査し、設定するようになされている。その他の構成は、図１５における場合と同様である。
【００２７】
図３は、リモートコントローラ４３の構成例を表している。同図に示すように、リモートコントローラ４３は、各種の指令を入力するとき操作されるキー７０を有している。このキー７０のうち、カラーキー７１Ｒ，７１Ｇ，７１Ｙ，７１Ｂには、それぞれ赤、緑、黄または青の色が固定表示されている。これらのカラーキーは、後述するように、ＣＲＴ７に表示される対応する色の選択項目を選択するとき操作される。
【００２８】
数字キー７３は、０乃至１２の数字、＊、および＃の記号を入力するとき操作される。
【００２９】
文字キー７７は、文字放送を受信するとき操作される。目次キー７２は、文字放送を受信している状態において、そのチャンネルで放送している番組の目次を表示させるとき操作される。予約キー７８は、予約処理を行うとき操作される。
【００３０】
メニューキー７４は、文字放送のメニューを表示させるとき操作される。選択キー７５Ｕ，７５Ｄは、メニューが表示されている状態において、そこに表示されているカーソルを上下、または左右方向に移動させるとき操作される。決定キー７６は、選択キー７５Ｕ，７５Ｄで選択した状態を決定（確定）するとき操作される。
【００３１】
この他、キー７０には、チャンネルや音量を増減するとき操作されるキー、文字放送番組の番組番号を増減させるとき操作されるキー、所定の番組のページを増減させるとき操作されるキーなどを有している。
【００３２】
次に、図４のフローチャートを参照して、図２に示したリストに文字放送チャンネルを設定する場合の処理について説明する。最初にステップＳ１において、使用者は、リモートコントローラ４３のメニューキー７４をオンする。すると、リモートコントローラ４３より、このメニューキー７４に対応する赤外線信号が出力され、リモコン信号受信回路４２により受信される。リモコン信号受信回路４２は、この受信信号に対応する信号をマイクロプロセッサ２２に出力する。マイクロプロセッサ２２は、メニューキー７４の操作に対応する信号の入力を受けたとき、ステップＳ２においてメニューを表示させる処理を実行する。
【００３３】
すなわち、マイクロプロセッサ２２は、オンスクリーンディスプレイ（ＯＳＤ）機能を有しており、メニュー表示に必要なデータを表示メモリ２８に記憶させる。そして、そのデータを表示処理回路２７で映像信号に変換し、映像切り替え回路５、映像出力回路６を介してＣＲＴ７に出力し、表示させる。これにより、例えば、図５に示すようなメニュー画面が表示される。このメニュー画面には、各種の設定を行う場合における選択項目が表示されている。
【００３４】
いま、自動的に文字放送チャンネルを設定する処理を行うのであるが、その前に、本来のテレビジョン信号のチャンネルを、リモートコントローラ４３の１乃至１２の数字キー７３の各キーに対応させる処理を実行する。このため、使用者は、ステップＳ３において図５に示すメニュー画面から、「チューナ設定」を選択する操作を行う。すなわち、選択キー７５Ｕ，７５Ｄを操作すると、図５に三角形の図形で示すカーソルが、上下方向に移動する。そして、このカーソルを、「チューナ設定」の行に移動させた後、決定キー７６を操作する。
【００３５】
この操作が行われたとき、マイクロプロセッサ２２は、自動テレビチャンネル設定処理を実行する。すなわち、マイクロプロセッサ２２は、選局回路２を制御し、複数の放送局の電波を順次受信させる。そして、各放送局を番号１乃至１２の数字キー７３に対応させ、ＥＥＰＲＯＭ２９に記憶させる。これにより、例えば、東京地区においては、数字１，３，４，６，８，１０，および１２の数字キー７３に対して、ＮＨＫテレビ、ＮＨＫ教育テレビ、日本テレビ、ＴＢＳテレビ、フジテレビ、テレビ朝日、テレビ東京の各放送局が対応される。
【００３６】
この自動テレビチャンネル設定処理が完了すると、マイクロプロセッサ２２は、「戻る」の文字をＣＲＴ７に表示させる。使用者は、ステップＳ５において選択キー７５Ｕ，７５Ｄを操作して、カーソルをその位置に移動させ、決定キー７６を操作して、その「戻る」の選択を行う。この選択を行うと、マイクロプロセッサ２２は、ステップＳ６において、図５に示すメニュー画面を再びＣＲＴ７に表示する処理を実行する。
【００３７】
次に使用者は、ステップＳ７において、メニュー画面から「自動文字番組」を選択する操作を行う。すなわち、選択キー７５Ｕ，７５Ｄでカーソルをその位置に移動させ、決定キー７６を操作する。このとき、「自動文字番組」の文字が表示されている行の右側に表示されている、「切」文字に四角いカーソルが表示される。ステップＳ８で選択キー７５Ｕ，７５Ｄを操作すると、この文字が「切」から「入」に変更される。そして「入」の状態に変更した後、決定キー７６を操作する。
【００３８】
このとき、マイクロプロセッサ２２は、ステップＳ９に進み、自動文字チャンネル設定処理を実行する。その処理の詳細については、図７のフローチャートを参照して後述するが、これにより、図２に示すリストに登録されている放送局（この実施例の場合テレモ）が走査され、そのチャンネル番号がリストに登録される。
【００３９】
この自動文字チャンネル設定処理を行っている最中、マイクロプロセッサ２２は、ＣＲＴ７に「自動文字番組設定中です」のメッセージを表示させる。そして、この設定処理が完了したとき、ステップＳ１０において、図６に示すような文字番組設定画面をＣＲＴ７に表示させる。
【００４０】
この文字番組設定画面には、ステップＳ９で設定されたチャンネルが表示される。図６の表示例においては、テレモの放送局が第４チャンネルで放送されているものとして、その登録が行われた状態が表示されている。使用者は、この表示を見て、ステップＳ１１において、この設定が正しいか否かを判定する。設定が正しくない場合においては、ステップＳ１２に進み、設定を訂正する操作を行う。
【００４１】
図６の表示例の場合、テレモが第４チャンネルに設定されているが、東京地区においては、テレモは第１チャンネルとされている。そこで、この場合においては、選択キー７５Ｕ，７５Ｄを操作して、チャンネルの数字をインクリメント、またはデクリメントして、第１チャンネルに訂正する。そして、第１チャンネルが表示された状態になったとき、決定キー７６を操作する。これにより、正しい設定が行われたことになる。すなわち、図２のリストに第１チャンネルが記憶されたことになる（この状態は、図９に示されている。この図９については後述する）。
【００４２】
ステップＳ１１において、正しい設定が行われていると判定された場合、あるいはステップＳ１２において訂正処理が完了したとき、次にステップＳ１３に進み、使用者は、メニューキー７２を再び操作する。このとき、マイクロプロセッサ２２は、ステップＳ１４において表示されているメニューを消去させる。
【００４３】
このようにして、ＥＥＰＲＯＭ２９に記憶されている予約リストが完成すると、マイクロプロセッサ２２は、以後、この予約リストに登録されている番組であって、カラーキーに割り付けられている番組を、装置の電源がオフされたときも、自動的に受信し、ＲＡＭ２３に記憶させる。
【００４４】
次に図７のフローチャートを参照して、図４のステップＳ９における自動文字チャンネル設定処理の詳細について説明する。最初にステップＳ３１において選局しているチャンネル番号を表す変数ｎを１に初期化する。そしてステップＳ３２に進み、チャンネルｎ（いまの場合ｎ＝１）を選局する処理を実行する。すなわち、マイクロプロセッサ２２は、選局回路２を制御し、第１チャンネルを選局させる。第１チャンネルが具体的に、どの放送局を表すかは、上述したステップＳ４の自動テレビチャンネル設定処理で設定されている。
【００４５】
次にステップＳ３３に進み、いま選局した放送局から受信したデータに文字放送データが存在するか否かを判定する。文字放送データが存在しないと判定された場合においては、ステップＳ３７に進み、変数ｎを１だけインクリメントし、さらにステップＳ３８において、いまインクリメントした変数ｎが受信可能な最大チャンネルの番号以上になったか否かが判定される。変数ｎが受信可能な最大チャンネルの値より小さいと判定された場合においては、ステップＳ３２に戻り、ステップＳ３７でインクリメントした変数ｎのチャンネルを選局する処理を実行する。そしてステップＳ３３において、そのとき受信している受信信号に、文字放送データが存在するか否かを判定する。文字放送データが存在しなければ、再びステップＳ３７に進み、変数ｎを１だけインクリメントする。
【００４６】
以上のようにして、変数ｎが１ずつインクリメントされ、ステップＳ３８において、変数ｎが受信可能な最大の値に達したと判定された場合、ステップＳ３９に進み、希望する文字放送チャンネルは、この地域においては存在しないものとして、図２に示すリストにはチャンネル番号を登録せずに処理を終了する。
【００４７】
一方、ステップＳ３３において、受信した信号に文字放送データが存在すると判定された場合においては、ステップＳ３４に進み、その受信信号中から文字データを取得するまで待機し、文字データを取得したとき、希望のチャンネルの文字データであるか否かを判定する。
【００４８】
すなわち、図２に示す（ＥＥＰＲＯＭ２９の）リストには、テレモの文字放送番組が記憶されており、いま、このテレモの放送を行っているチャンネルを探しているのであるが、テレモが送信しているチャンネルの文字放送画面には、例えば図８に示すように、その画面の上部のヘッダに「テレモ」の文字が表示されている。従って、いま受信しているチャンネルがテレモのチャンネルである場合においては、この「テレモ」の文字コードが含まれているはずである。そこで、この「テレモ」の文字コードが含まれているか否かから、いま受信しているチャンネルが「テレモ」のチャンネルであるか否かを判定することができる。また、例えば、日本テレビにおいては、「ＡＸＳＥＳ４」の文字が、ヘッダ分に含まれている。従って、このヘッダに所定の放送局を表す文字コードが含まれているか否かを判別することで、そのチャンネルの放送局を判別することができる。
【００４９】
あるいはまた、各放送局が放送する文字多重放送には、各放送局を識別するための放送局コード（送出識別番号：ＳＩＤ）を含めることが義務づけられている（「文字放送技術ハンドブック」放送技術開発協議会編）。そこで、この送出識別番号から、放送局を識別することができる。
【００５０】
ステップＳ３５において、いま受信した信号に「テレモ」の文字が含まれていないか、あるいはテレモの送出識別番号が含まれていないと判定された場合、その放送局は、テレモの放送局ではないから、ステップＳ３７に進み、変数ｎを１だけインクリメントして、次の放送局を受信する処理を実行する。
【００５１】
一方、ステップＳ３５において受信した信号中に「テレモ」の文字コードが含まれているか、あるいは送出識別番号が含まれていると判定された場合においては、ステップＳ３６に進み、そのとき受信しているチャンネルの番号を、図２に示すリスト中に登録する。これにより、例えば東京地区においては、このリストは図９に示すようになる。すなわち、放送局「テレモ」に対応して、チャンネル１が設定される。
【００５２】
なお、図４のステップＳ４の処理をステップＳ９の処理の前に行うようにしたのは、ステップＳ９の自動文字チャンネル設定処理を、ステップＳ４の自動テレビチャンネル設定処理より前に行うと、誤った設定が行われる恐れがあるからである。すなわち、ステップＳ９の処理は、文字多重放送のチャンネルを設定するものであるが、この文字多重が行われる本来のテレビジョン信号のチャンネル番号が正しく設定されていなければ、文字多重放送のチャンネルの設定も誤る恐れがあるからである。
【００５３】
また、ステップＳ１１，Ｓ１２において、一度設定された文字放送チャンネルを訂正できるようにしたのは、例えば受信した信号中に「テレモ」の文字を含む文字列が存在するような場合に、その放送局を「テレモ」と誤検出する恐れがあるので、これを訂正できるようにするためである。
【００５４】
このように、ＥＥＰＲＯＭ２９に放送局と、その放送局で放送している番組の番組番号とタイトルを登録したリストを記憶しておくと、例えば図１０のフローチャートに示すように、その放送局で放送している番組をカテゴリ毎に見て、選局することができる。
【００５５】
すなわち、最初にステップＳ４１において、いま第１チャンネルのテレビジョン信号を受信し、ＣＲＴ７に、その画像を表示しているものとする。この状態において、ステップＳ４２でリモートコントローラ４３の文字キー７７を操作すると、マイクロプロセッサ２２は、いま受信していたテレビジョン放送のチャンネルで行われている文字多重放送のカテゴリ毎のリストをＥＥＰＲＯＭ２９から読み出し、ＣＲＴ７に表示させる。図１０に示すように、この実施例においては、天気予報、ニュース、スポーツおよびメモリの各カテゴリのそれぞれ３つの番組のチャンネル番号、番組番号、およびタイトルが表示される。
【００５６】
図９の予約リストに示す１１のカテゴリのうちの、いずれの４つのカテゴリを表示するかは、任意に設定することが可能であるが、デフォルトしては、図１０に示す４つのカテゴリが登録されている。すなわち、天気予報、ニュース、スポーツ、メモリの各カテゴリが、それぞれ４つのカラーキー７１Ｒ，７１Ｇ，７１Ｙ，および７１Ｂに対応されており、各カテゴリの名称には、対応する色が表示される。
【００５７】
そこでステップＳ４４において、これらのカラーキー７１Ｒ，７１Ｇ，７１Ｙ，７１Ｂのいずれか（例えばカラーキー７１Ｂ）を操作すると、そのカラーキーに対応するカテゴリの番組であって、３つのうちの１番上に表示されている（番号１の）番組が選択され、ステップＳ４５において、その番組がＣＲＴ７に表示される。
【００５８】
すなわち、マイクロプロセッサ２２は、図９に示す予約リストに登録が行われると、選局回路２を制御し、その予約リストに登録された番組を自動的に受信し、ＲＡＭ２３に自動的に記憶させる。そして、このＲＡＭ２３に記憶された番組のうち、カラーキーで指定された番組のデータを読み出し、ＣＲＴ７に出力し、表示させる。
【００５９】
ステップＳ４５においては、赤と緑の選択項目として、それぞれ「前ページ」と「次ページ」が表示される。従って、赤のカラーキー７１Ｒまたは緑のカラーキー７１Ｇを操作することで、表示されているページを、前のページまたは次のページには変更することができる。使用者がこのようなページ操作をしない場合においては、所定の時間が経過したとき、自動的に次のページに表示が変更される。
【００６０】
また、ステップＳ４３で第２番目または第３番目に表示されている番組を選択するには、一旦、ステップＳ４５の表示状態に進んだ後、カラーキー７１Ｙ（第２番目の番組を選択するとき）、またはカラーキー７１Ｂ（第３番目の番組を選択するとき）を操作する。
【００６１】
なお、ステップＳ４４で、カラーキーの代わりに、数字キー７３で番組番号を直接入力することでも番組を見ることができる。
【００６２】
次に、図１１および図１２を参照して、カラーキーに対応するカテゴリを変更する処理について説明する。最初にステップＳ５１において、文字キー７７を操作する。このとき、マイクロプロセッサ２２は、ステップＳ５２において、ＣＲＴ７に、いま各カラーキーに対応して設定されているカテゴリ（いまの場合、天気予報、ニュース、スポーツおよびメモリ）に属する番組を、それぞれ３つずつ表示させる。
【００６３】
使用者は、次にステップＳ５３において予約キー７８を操作する。すると、ステップＳ５４において、マイクロプロセッサ２２は、ＣＲＴ７に予約モード画面を表示させる。この予約モード画面には、このとき、カラーキーに対応されているカテゴリが表示される。この実施例では、カラーキー７１Ｒには天気予報が、カラーキー７１Ｇにはニュースが、カラーキー７１Ｙにはスポーツが、そしてカラーキー７１Ｂにはメモリが、それぞれ対応するカテゴリとして登録されていることが分かる。
【００６４】
次に、使用者は、変更したいカテゴリを、対応する色のカラーキーを操作することで選択する。例えば緑のカラーキー７１Ｇが対応されている「ニュース」のカテゴリを、「生活・暮らし」のカテゴリに変更するものとすると、緑のカラーキー７１ＧをステップＳ５５で操作する。
【００６５】
このときマイクロプロセッサ２２は、ステップＳ５６において、ステップＳ５５で選択された「ニュース」のカテゴリに属する番組を表示する。そして、この画面の上部に選択情報として、カテゴリ、カーソル、決定、および戻るの各選択項目に、それぞれ赤、緑、黄、青の色を付加して表示する。
【００６６】
いま、カテゴリを変更するための処理を行っているので、次にステップＳ５７において、使用者は、カテゴリの選択項目が対応されている赤のカラーキー７１Ｒを操作する。このとき、マイクロプロセッサ２２は、ステップＳ５８において、カラーキーに対応されていない、その他のカテゴリを表示するとともに、所定のカテゴリ（実施例の場合交通情報）に赤のカーソルを表示する。
【００６７】
この状態において、ステップＳ５９で使用者が、赤のカラーキー７１Ｒを操作すると、その操作に対応して、赤のカーソルが移動する。使用者は、赤のカーソルが変更したいカテゴリである「生活・暮らし」の表示位置に移動するまで操作する。このとき、マイクロプロセッサ２２は、ステップＳ６０において、赤のカーソルを「生活・暮らし」の文字上に表示する。
【００６８】
次にステップＳ６１において、使用者は決定の選択項目が対応されている黄色のカラーキー７１Ｙを操作して決定指令を入力する。このときマイクロプロセッサ２２は、図９に示す予約リストから「生活・暮らし」のカテゴリの番組情報を読み出し、ステップＳ６２においてＣＲＴ７に表示する。
【００６９】
次にステップＳ６３において「戻る」の選択項目に対応している青のカラーキー７１Ｂを操作すると、ステップＳ６４においてマイクロプロセッサ２２は、それまでの緑のカラーキー７１Ｇに対応して表示されていたカテゴリを、「ニュース」から、「生活・暮らし」に変更する。従って、以後、緑のカラーキー７１Ｇを操作すれば「生活・暮らし」のカテゴリを選択することができるようになる。
【００７０】
以上、図４および図７のフローチャートに示す処理を実行することで、番組をカテゴリ毎に自動的に登録（予約）するようにしたのであるが、手動操作することで、番組を予約リスト中に登録することも可能である。この場合の操作について、図１３と図１４のフローチャートを参照して説明する。
【００７１】
最初にステップＳ７１において、予約したい文字放送を放送しているテレビジョンのチャンネルの番組を見ている状態にする。次にステップＳ７２において、目次キー７２を操作する。このとき、マイクロプロセッサ２２は、目次モードのメニューをＣＲＴ７に表示させる。この状態において、使用者がステップＳ７４で、赤の選択項目「目次表示」を選択すると、ステップＳ７５において、マイクロプロセッサ２２はＣＲＴ７に目次画面を表示させる。すなわち、マイクロプロセッサ２２は、ステップＳ７１で受信していたテレビジョン信号に多重化して放送されている文字放送番組の目次を受信し、ＣＲＴ７に表示させる。
【００７２】
そして、このとき、表示されている番組番号を選択するための選択項目として、色が付加された番組番号が画面の上方に表示される。使用者は、いま、例えば番組番号７０３＃の文字放送番組を予約したい場合においては、ステップＳ７６において、この番組番号に対応する赤のカラーキー７１Ｒを操作する。カラーキー７１Ｒが操作されると、マイクロプロセッサ２２は、ステップＳ７７において、操作された番組番号のデータをＲＡＭ２３から読み出し、ＣＲＴ７に表示させる。この状態において、使用者は、ステップＳ７８で、予約キー７８を操作する。すると、マイクロプロセッサ２２は、ステップＳ７９においてＣＲＴ７に予約モード画面を表示させる。
【００７３】
この予約モード画面には、そのとき各カラーキーに対応されているカテゴリが表示される。いまの場合、天気予報、ニュース、スポーツ、およびメモリの各カテゴリが対応する色（赤、緑、黄および青）を付加して表示される。
【００７４】
そこで、次にステップＳ８０において、使用者は、ステップＳ７６で指定した番組を割り付けたい（対応させたい）カテゴリに対応するカラーキーを操作する。例えば、メモリのカテゴリに割り付けたい場合においては、青のカラーキー７１Ｂを操作する。
【００７５】
青のカラーキー７１Ｂが操作されたとき、マイクロプロセッサ２２は、ステップＳ８１において、そのとき「メモリ」のカテゴリに登録されている３つの番組を表示するとともに、その上に、ステップＳ７７，Ｓ７８で予約した番組が表示される。
【００７６】
この状態において、ステップＳ８２で、「決定」に対応する黄色のカラーキー７１Ｙを操作すると、ステップＳ８３に進み、マイクロプロセッサ２２は、ステップＳ８１で表示されていた上位３つの番組を、新たに「メモリ」のカテゴリに登録する。従って、それまで第３番目に登録されていた番組が登録から外されることになる。
【００７７】
このようにして、指定した番組が予約されたとき、ステップＳ８４に進み、「戻る」の選択項目が割り当てられている青のカラーキー７１Ｂを操作することで、予約画面を消去する。
【００７８】
この装置のその他の動作は、図１５に示した場合と同様であるので、その説明は省力する。
【００７９】
以上においては、１つの放送局（テレモ）の予約リストだけを予めＥＥＰＲＯＭ２９に記憶させるようにしたが、複数の放送局の予約リスト（放送チャンネルを除く）を予め登録しておいてもよいのはもちろんである。
【００８０】
以上、本発明をテレビジョン信号に重畳して、文字情報が放送される場合を例として説明したが、本発明は、文字情報以外の情報を受信する場合においても、適用することが可能である。
【００８１】
【発明の効果】
以上の如く請求項１に記載の文字放送受信装置によれば、受信した信号に、予め記憶された特定の文字放送番組の伝送者を表す文字コードが含まれていると判定された場合、受信した文字放送番組の信号が伝送されてくるチャンネルのチャンネル番号を、リストに登録するようにしたので、リストを自動的に完成することが可能となり、操作性が向上する。また、伝送者を確実に判別することが可能になる。さらに、リストを正しく完成することが可能になる。また、テレビジョン信号に多重化されている文字情報をリスト化し、そのリストを用いて所望の番組を選択することができるようになる。
【００８３】
請求項２に記載の文字放送受信装置によれば、文字放送番組の番組番号およびタイトルをカテゴリ毎に記憶するようにしたので、そのリストを用いて、カテゴリ毎に番組を選択することが可能となり、番組選択が容易となる。
【００８７】
請求項３に記載の文字放送受信装置によれば、所定の操作がなされたとき、リストを読み出し、出力表示させるようにしたので、そのリストを利用して、番組を迅速且つ確実に選択することが可能となる。
【００８８】
請求項４に記載の文字放送受信方法によれば、受信した信号に伝送者を表す文字コードが含まれていると判定された場合、受信した特定の文字放送番組の信号が伝送されてくるチャンネルのチャンネル番号を、リストに登録するようにしたので、手動操作が不要となり、迅速且つ簡単に、リストを完成することが可能となる。
【図面の簡単な説明】
【図１】本発明の信号受信装置を応用した文字放送受信装置の構成例を示すブロック図である。
【図２】図１のＥＥＰＲＯＭ２９に記憶されている予約リストの初期状態を説明する図である。
【図３】図１のリモートコントローラ４３の構成例を示す正面図である。
【図４】図１の実施例の動作を説明するフローチャートである。
【図５】図４のステップＳ２における表示例を示す図である。
【図６】図４のステップＳ１０における表示例を示す図である。
【図７】図４のステップＳ９の自動文字チャンネル設定処理の詳細を示すフローチャートである。
【図８】図７のステップＳ３５における判定処理の文字による判定の例を説明する図である。
【図９】図７に示す処理を実行した後の予約リストの状態を示す図である。
【図１０】文字放送を見る場合の動作を説明するフローチャートである。
【図１１】カテゴリを変更する場合の動作を説明するフローチャートである。
【図１２】図１１に続くフローチャートである。
【図１３】手動操作で番組を予約する処理を説明するフローチャートである。
【図１４】図１３に続くフローチャートである。
【図１５】従来の文字放送受信装置の構成例を示すブロック図である。
【符号の説明】
２  選局回路
５  映像切り替え回路
７  ＣＲＴ
８  音声切り替え回路
１０  スピーカ
１１  文字放送デコーダ
２１  抜き取り回路
２２  マイクロプロセッサ
２３  ＲＡＭ
２４  ＲＯＭ
２５  文字発生器
２６  付加音デコーダ
２７  表示処理回路
２８  表示メモリ
２９  ＥＥＰＲＯＭ
４１  操作パネルキー
４３  リモートコントローラ
６１  自動文字チャンネル設定部
【図１】
0003557696.tif 000002
【図２】
0003557696.tif 000003
【図３】
0003557696.tif 000004
【図４】
0003557696.tif 000005
【図５】
0003557696.tif 000006
【図６】
0003557696.tif 000007
【図７】
0003557696.tif 000008
【図８】
0003557696.tif 000009
【図９】
0003557696.tif 000010
【図１０】
0003557696.tif 000011
【図１１】
0003557696.tif 000012
【図１２】
0003557696.tif 000013
【図１３】
0003557696.tif 000014
【図１４】
0003557696.tif 000015
【図１５】
0003557696.tif 000016